(57)【要約】      （修正有）【課題】仕掛けが絡まることが無く食いが良く細糸で切れると言うトラブルも緩和されている。【解決手段】天秤のバーの一部にＶ字又はＵ字又は半円経の波型のクッション部分を設けることにより、この波型が船の舵の役目を果たし、潮流や水流に巧く馴染んでくれる。又、この波型がクッションなり、思わぬ大物による針素切れも減少しているなど、今迄の悩みの種が、かなり解消されている素晴らしい考案である。【選択図】図７
0003118301.tif 000002
【実用新案登録請求の範囲】
【請求項１】
舟釣りを始め、魚釣りに使用する天秤の一部に波形又は螺旋状のクッション部分を設けたことを特長とする天秤。
【考案の詳細な説明】
【考案の詳細な説明】
【技術分野】
【０００１】  既に、投げ釣り用の天秤では、「Ｌ字型をした天秤の、道糸を繋ぐほうのバーの一部に、波形又は螺旋状のクッション部分を設けたことを特長とする天秤。」として実用新案の登録（登録第３０９４６９６）がされているのであるが、舟釣りや磯釣り、池湖沼でのワカサギやモロコ釣り、河川での鮎釣りなどに使われている天秤の一部に、波形のクッション部分を取り入れたところ、潮流や水流に巧く乗り、流れに沿って仕掛けが自然になびいてくれることがわかった。
投げ釣りでは、バーの一部に設けた波形が、飛行機の垂直翼の役目を果たし、回転したり、左右にぶれたりせず、非常に安定して真っ直ぐ飛んで行く為、仕掛けが絡むことなく、その上飛距離が伸びることが実証されているが、水中でも、同様の効果が見られることがわかった。つまり、仕掛けが自然に巧くなびいてくれることは、絡まないのである。その上、仕掛けに付けた餌が自然になびくと言うことは、魚に不信感を与えないで、自然に流れてきた餌と思い食い付いてくれることに繋がる。又、バーの一部に設けた波形がクッションになり、魚が餌に食い付いたときのショックを和らげてくれるため、ハリス（糸）の切れることが少なくなり、魚を取り込める確立が高くなった。
投げ釣り用の天秤の場合は、道糸側のバーにクッション部分を設けたが、船釣り用の天秤では、仕掛け側にクッション部分を設けても同様の効果が得られることがわかった。その上、魚の乗り（食込み）が、より良くなっているように思える。つまり、何にもない一本の針金だけの天秤より、波形の微妙な曲がりが魚が餌をくわえたときの抵抗を和らげているのではないかと思われる。魚の乗りと言うことだけに限ると、この方がより効果が有るように思える。
Ｌ字型の天秤だけでなく、舟釣りによく使われる半円経の天秤（図８）でも、水流効果や食込み効果は、同様に有ることが分かっている。つまり、天秤の形はどんな形でも一部に波形のクッション部分を設けることにより、その形の持つ特長効果が更に良くなるのではないかと考えている。
又、投げ釣りでは、海草天秤などと同様の錘固定式の針金の道糸側のバーに波形のクッションを取り入れた（図６）ところ、飛行形態は非常に安定していて飛距離は伸びる上に、投げたときのショックもなく非常にスムーズな投摘が可能であった。
【背景技術】
【０００２】  前項「考案の属する技術分野」の冒頭でも述べた、私考案の波形クッション付Ｌ型天秤（図１）を初めとして、天秤の代表選手と言える普通の何もないＬ型天秤（図１０）や、少しでも魚の食込みをよくするようにと考えられた半円型（図８）、真中に錘を付け、左右に仕掛けを付けるバーを出した両天秤（図９）など、様々な天秤が考案され市販されている。そしてそれなりに、仕掛けが絡まないようにとか、魚が食い付いたときの食込みの良さとか、取り込み時のクッション制などの効果を考えられており、十分使用に耐えられるものでは有るが、本考案のような顕著な特長を持ったものはないと言って良い。
本考案は、単に思い付きで考えられたものではなく、車のスタビライザーや飛行機の翼の原理や鳥の翼に潜む微妙な羽根の浮力構造など、科学的な根拠から考案したものであり、投げ釣りの場合は、波形のクッションの造り出す空気流体や舟釣りでの水流の微妙な変化を考えたものであり、根拠の上に成り立っている。
【考案が解決しようする課題】
【０００３】  従来の天秤では、錘から真っ直ぐ仕掛けが垂れているのではないぶんカラミは少ないし、バーの分だけ弾力が有るため、幾分か食込みは良いと言える。しかし、天秤が潮流に対して、直角の方向を向いていたりするため様々な問題を有している。
【０００４】  従来の天秤では、潮流や水流に巧く馴染まない為仕掛けが絡むと言う問題点を有していた。
【０００５】  従来の天秤は、バーの弾力にかなり抵抗が有るため、魚の餌の食込みが今ひとつ良くないと言う問題点を有していた。
【０００６】  従来の天秤では、魚の食込みを良くするために、バーの長さを長くすると、上げるときに抵抗になると言う問題点を有していた。
【０００７】  本考案は、従来の技術が有するこれらの問題点を鑑み、空気や水流の流体力学に基づき研究されたもので、天秤の道糸側もしくは仕掛け側のバーの一部に波形のクッション部分を設けることにより、この部分が、船の舵の役目を果たし、天秤が潮流の方向にすんなり馴染んでくれるため、仕掛けが絡むことが無く又自然ななびきになってくれるため、魚に不信感を与えず、食い気を誘ってくれると言う効果をもたらしている。
【課題を解決するための手段】
【０００８】  本考案は、上記の問題点を解決するため、道糸側もしくは仕掛け側のバーの一部にＶ字状の波を設けた。
投げ釣りの場合は、この波の部分が、飛行機の翼や車のスタビライザーや鳥の翼の浮力構造のような、流体力学に基づき、飛距離が伸びる上に飛行形態が安定しているため、仕掛けが絡まないなどの素晴らしい効果が認められたが、水中でも同じ流体力学が当てはまるのではないかと考え、テストを繰り返してきた結果、思ったとうり潮流や水流に巧く馴染んでくれることがわかった。これは、道糸側仕掛け側いずれの場合でも同様の効果が見られる。
この天秤が巧く潮流に馴染んでくれるということは、魚釣りに於いては多大な効果をもたらす。まず一つは、仕掛けが絡まないと言うこと。もう一つは、仕掛け（餌）が自然になびき魚の食い気を誘うと言うことになる。しかもこの部分がクッションになり、魚が餌をくわえたときの合わせの役目を果たす反発力も保ちながら、微妙に抵抗を和らげているらしく、すんなり針掛かりしてくれるように思える。又、引き揚げるときに、この波形が抵抗になるのではないかと心配したが、全くの気宇に終わった。むしろ大物の掛かったときに良く有りがちなハリス（糸）切れなどのトラブルが減った上に、なんの抵抗も感じない。
この波形は、半円径やＵ字型でも同じ効果が認められる。
【０００９】  螺旋の場合はいったん仕掛けが絡むと大変厄介であることが分かった。その上クッションとしては問題はないが、上げてくるときにはかなり抵抗を感じるような気がするが、食込みの良さでは他を凌ぐかも知れない。
【考案を実施するための最良の形態】
【００１０】  太さ１．１ｍｍのＬ字型天秤の道糸側のバーに、幅１０ｍｍ、ピッチ８ｍｍのＶ字の波を８個（図１）。Ｕ字の場合は、同じく幅は１０ｍｍ、ピッチは５ｍｍとし、数は１０個（図３）とした。半円の場合は、直径を１０ｍｍ、数は８個（図２）とした。これは既に実用化している投げ釣り用のＶ字波形の天秤の試作の際に作っていたものと同じで、実際の釣りでその効果は実証済である。【００１１】  太さは前項と同じ１．１ｍｍのＬ字型天秤の仕掛け側のバーに、Ｖ字の波を、今度は６個とした（図４）。【００１２】  太さは同じ１．１ｍｍのステンレスの針金の３０ｃｍの長さを、三日月円状にしたものの真中に、前項「００１０」と同じＶ字の波を６個設けた（図５）。【００１３】  螺旋に関しては、その効果相半ばであるため、実施はしなかった。【００１４】  半円、Ｕ字型に関しては、Ｖ字型とほぼ同じ効果が得られることが実証されているため、仕掛け側のバーにクッション部分を設ける実施はしなかった。
【考案の効果】
【００１５】  流体力学の科学的根拠に基づく本考案は、予測通り潮流や水流に巧く馴染み、その結果仕掛けが絡まず自然な仕掛け（餌）のなびきを作り魚の食い気を引き起こす等の効果が見られた。又、食い込みに於ても、波形が適当なクッションになり、確実制を増しているように思える。このように、本考案は、空気中に於ても水中に於ても、素晴らしい効果が有ることがわかった。
【図面の簡単な説明】
【図１】  Ｌ字型の天秤の道糸側のバーに、Ｖ字の波形を付けた天秤。
【図２】  Ｌ字型の天秤の道糸側のバーに、半円径の波形を付けた天秤。
【図３】  Ｌ字型の天秤の道糸側のバーに、Ｕ字型の波を付けた天秤。
【図４】  Ｌ字型の天秤の仕掛け側のバーに、Ｖ字型の波を付けた天秤。
【図５】  半円経の片天秤の仕掛け側のバーに、Ｖ字型の波を付けた天秤。
【図６】  投げ釣り用錘固定式Ｌ型天秤の道糸側のバーに、Ｖ字型の波を付けた天秤。
【図７】  Ｌ字型の天秤の道糸側のバーに、Ｌ字型の波を付けた天秤を、実際に海の中に垂らしたときの仕掛けの流れている状態図。
【図８】  従来の半円形の片天秤。
【図９】  従来の両天秤。
【図１０】  従来のＬ型片天秤。
【図１】
0003118301.tif 000003
【図２】
0003118301.tif 000004
【図３】
0003118301.tif 000005
【図４】
0003118301.tif 000006
【図５】
0003118301.tif 000007
【図６】
0003118301.tif 000008
【図７】
0003118301.tif 000009
【図８】
0003118301.tif 000010
【図９】
0003118301.tif 000011
【図１０】
0003118301.tif 000012
【手続補正書】
【提出日】平成17年7月21日(2005.7.21)
【手続補正１】
【補正対象書類名】実用新案登録請求の範囲
【補正対象項目名】全文
【補正方法】変更
【補正の内容】
【実用新案登録請求の範囲】
【請求項１】
針金を加工した、Ｌ字型（図１）又は三日月型（図５）又は人型（図９）などの形をした舟釣りを始め、魚釣りに使用する天秤の一部に波型又は螺旋状のクッション部分を設けたことを特長とする魚釣り用天秤。
【手続補正書】
【提出日】平成17年10月16日(2005.10.16)
【手続補正１】
【補正対象書類名】実用新案登録請求の範囲
【補正対象項目名】全文
【補正方法】変更
【補正の内容】
【実用新案登録請求の範囲】
【請求項１】
針金を加工した、Ｌ字型又は三日月型又は人型などの形をした舟釣りを始め、魚釣りに使用する天秤の一部に波型又は螺旋状のクッション部分を設けたことを特長とする魚釣り用天秤。